【事件の表示】
　上記当事者間の登録第５６１３１９６号商標の登録取消審判事件について、次のとおり審決する。
【結　論】
　登録第５６１３１９６号商標の商標登録を取り消す。
　審判費用は、被請求人の負担とする。
【理　由】
第１　本件商標
　本件登録第５６１３１９６号商標（以下「本件商標」という。）は、別掲のとおり、「ＦＵＴＺ」（２文字目の「Ｕ」にはウムラウトが付されている。以下同じ。）の欧文字を表してなり、第２５類「メリヤス下着，メリヤス靴下，履物及び運動用特殊靴」を指定商品として、平成２５年９月６日に設定登録されたものである。
　そして、本件審判の請求の登録日は、平成３０年９月３日であり、商標法第５０条第２項に規定する「審判の請求の登録前３年以内」とは、平成２７年９月３日から同３０年９月２日までの期間（以下「要証期間」という。）である。
第２　請求人の主張
　請求人は、結論同旨の審決を求め、その理由及び答弁に対する弁駁を要旨次のように述べ、証拠方法として甲第１号証を提出している。
　以下、証拠については、「甲（乙）第○号証」を「甲（乙）○」のように省略して記載する。
１　請求の理由
　本件商標は、継続して３年以上日本国内において商標権者、専用使用権者又は通常使用権者のいずれによっても、その指定商品について使用されていないものである。
　よって、本件商標の登録は、商標法第５０条第１項の規定に基づき取り消されるべきである。
２　答弁に対する弁駁
（１）使用の行為主体について
　答弁書の中で、乙２、乙５及び乙６から、本件商標の商標権者（以下、単に「商標権者」という。）が商品及びその包装に商標を付し、カナダへ商品を輸出すると述べている。しかし、乙５及び乙６は、株式会社アビラス（以下「アビラス社」という。）が商標権者宛てに発行した請求書であるので、アビラス社が商標を付し、商標権者宛てに商品をカナダに輸出している。よって、商品及びその包袋に商標を付し、商品を輸出している行為主体はアビラス社であるから、商標権者が商標を付しカナダへ商品を輸出しているという被請求人の主張は明らかに失当である。
　同様に、答弁書の中で、乙８及び乙１０から、Ｈ．Ｇ．ＩＮＴＥＲＮＡＴＩＯＮＡＬ（以下「ＨＧ社」という。）が商標を付し、カナダに商品を輸出している旨、主張している。しかし、乙８及び乙１０は、アビラス社及び昌和莫大小株式会社（以下「昌和社」という。）がＨＧ社宛てに発行した請求書であるから、アビラス社及び昌和社が商標を商品に付し、その商品をカナダに輸出していることを示している。よって、商標の使用行為の主体はアビラス社及び昌和社であり、ＨＧ社ではないので、被請求人の主張は失当である。
（２）使用時期について
　答弁書において、被請求人は、使用権者の使用を証明するため、乙８及び乙１０を提出しているが、乙８の請求書の発行日は「２０１４年６月９日」、乙１０の請求書の発行日は「２０１４年６月３０日」であり、要証期間より１年以上前である。
（３）輸出対象の商品について
　乙８及び乙１０には、商品の説明として「Ｍｅｎ’ｓ　ｓｏｃｋｓ」などと記載されているが、商品コードが乙２で記載されている製品番号と一致せず、本件商標が付された商品であるか、判断できない。よって、答弁書において、乙８及び乙１０を基にＨＧ社が本件商標と社会通念上同一の商標を使用している旨の主張は明らかに失当である。
（４）使用許諾契約書について
　答弁書において、被請求人は、乙７の使用許諾契約書から、ＨＧ社が、本件商標の指定商品「メリヤス靴下」についての使用権者である旨、主張する。しかし、乙７には、対象の商標や商標登録番号が記載されてなく、また、日本国内での商標の使用についての許諾した旨も一切、記載されていない。よって、乙７の使用許諾書をもって、商標権者がＨＧ社に本件商標の使用を許諾したとはいえない。
（５）乙５及び乙６の請求書の信憑性
　乙５及び乙６の請求書から、靴下を各種類、１足ずつしか取引しておらず、また、総額で５０セント又は１ドル２０セントしか商標権者に費用を請求していない。靴下は、少なくとも数十足まとめて取り引きするのが通常であり、さらに、１足１０セントの靴下であれば、輸送コストを節約するためにも数百足単位で取引するはずなので、数種類の靴下を１足ずつしか取引していないのは極めて不自然である。さらに、請求金額も総額で５０セント又は１ドル２０セントと極めて少額であるから、乙５及び乙６の請求書は、証拠資料としての信憑性に欠く。
第３　被請求人の答弁
１　被請求人は、本件審判の請求は成り立たない、審判費用は請求人の負担とする、との審決を求めると答弁し、その理由を要旨次の２のように述べ、証拠方法として乙１ないし乙１０を提出している。
２（１）商標権者による使用
　ア　商標権者は、カナダに住所を有する靴下等の織物製品メーカーである（乙１）。商標権者は、日本において「ｆｕｔｚ」（２文字目の「ｕ」にはウムラウトが付されている。以下同じ。）の商標（以下「使用商標」という。）を指定商品「メリヤス靴下」（以下「『ｆｕｔｚ』製品」という。）に付し、また、カナダへ輸出することにより使用している。
　イ　商標使用時期・使用場所
　商標権者は、日本の織物製品メーカーであるアビラス社（乙４）に「ｆｕｔｚ」製品の生産を発注して生産している。乙５及び乙６は、アビラス社が商標権者宛てに発行した請求書の写しである。これらの請求書の発行日はそれぞれ、２０１８年（平成３０年）７月１９日、同月２３日になっており、一般的に請求書は、商品の納品と同時かそれから１か月程度で発行されるものであるから、商標権者は、２０１８年（平成３０年）７月に本件商標を使用していたといえる。
　なお、「ｆｕｔｚ」製品に付されたタグの裏面には日本製であることを表す「Ｍａｄｅ　ｉｎ　Ｊａｐａｎ」の文字が記載されている（乙２）。
　ウ　本件商標と社会通念上同一の使用商標の使用
　商標権者は、「ｆｕｔｚ」製品の包装であるタグの表面に「ｆｕｔｚ」の文字を付している（乙２）。さらに、「ｆｕｔｚ」製品自体に使用商標の文字を付している商品も存在する（乙２）。
　本件商標と使用商標を比較すると、本件商標は、全て大文字の「ＦＵＴＺ」のローマ字を太線のゴシック体風の書体で表しているものである。一方、使用商標は、全て小文字の「ｆｕｔｚ」のローマ字を細い線のＴｉｍｅｓ　Ｎｅｗ　Ｒｏｍａｎ風の書体で表しているものである。
　本件商標と使用商標は、活字体による書体（ゴシック体風の書体及びＴｉｍｅｓ　Ｎｅｗ　Ｒｏｍａｎ風の書体）の相互間の使用であり、更にローマ字の大文字と小文字の相互間の使用であるといえるので、使用商標は、本件商標を書体にのみに変更を加えた同一の文字からなる商標であるといえる。
　よって、本件商標と使用商標は社会通念上同一であるといえる。
　エ　指定商品についての使用
　アビラス社が商標権者宛てに発行した請求書には、「ＦＺＳＳＭＳＣＰ１１」等の製品番号が記載されている（乙５及び乙６）。この製品番号の冒頭ＦＺの２文字は、商標権者の名称「ＦＵＴＺ」を表しており、商標権者の製品であることを表している。この「ＦＺＳＳＭＳＣＰ１１」の製品番号は、「ｆｕｔｚ」製品である指定商品「メリヤス靴下」のタグの裏面に記載されている製品番号の一つと一致する（乙２）。
　オ　よって、商標権者は、使用商標を指定商品「メリヤス靴下」及びその包装であるタグに付し（商標法第２条第３項第１号）、また、その商品をカナダへ輸出することにより（同法第２条第３項第２号）、使用商標を使用しているといえる。
（２）使用権者による使用
　商標権者の「メリヤス靴下」を含む商品の使用権者であるＨＧ社は、アビラス社に「ｆｕｔｚ」製品の生産を発注してカナダに輸出している。
　乙７は、商標権者とＨＧ社間で締結した使用許諾契約書付属文書の写しである。当該使用許諾契約書付属文書において、ＨＧ社は商標権者の商品「靴下・メリヤス類」の生産を許諾されているので、同社は、「靴下・メリヤス類」に含まれる本件商標の指定商品「メリヤス靴下」についての使用権者であるといえる。
　乙８は、アビラス社がＨＧ社宛てに発行した女性用靴下の請求書の写しである。この請求書の発行日は、２０１４年（平成２６年）６月９日になっている。
　さらに、ＨＧ社は、日本の繊維製品メーカーである昌和社（乙９）に「ｆｕｔｚ」製品の生産を発注してカナダに輸出している。
　乙１０は、昌和社がＨＧ社宛てに発行した男性用靴下等の請求書の写しである。これらの請求書の発行日はそれぞれ、２０１４年（平成２６年）６月３０日、同年７月４日になっている。
　したがって、商標権者の使用権者ＨＧ社は、２０１４年６月から継続して、商標権者との使用許諾契約に基づいて「ｆｕｔｚ」製品を生産し、カナダに輸出していることが推測できる。
３　当審において、被請求人に対し、令和元年６月２４日付け審尋により、合議体の暫定的見解を示した上で、これに対する意見を求めたが、被請求人は、何ら意見を述べていない。
　また、被請求人は、請求人の弁駁に対し、何ら答弁していない。
第４　当審の判断
１　被請求人の提出に係る証拠によれば、次の事実が認められる。
（１）奈良県を所在地とするアビラス社は、２０１８年（平成３０年）７月２３日に、カナダを所在地とする商標権者に対し、製品番号「ＦＺＳ５ＭＳＣＰ０１１」の商品「靴下」（以下「使用商品」という。）についての代金を請求した（乙６）。
（２）使用商品には、使用商標が表示されたタグが付されている（乙２）。
（３）商標権者は、ＨＧ社に対し、２０１４年（平成２６年）１０月１日から１０年間、「靴下」の生産、販売又は頒布を行う権限を付与した（乙７）。
（４）奈良県を所在地とするアビラス社は、２０１４年（平成２６年）６月９日に、カナダを所在地とするＨＧ社に対し、女性用靴下についての代金を請求した（乙８）。
（５）奈良県を所在地とする昌和社は、２０１４年（平成２６年）６月３０日に、カナダを所在地とするＨＧ社に対し、男性用靴下についての代金を請求した（乙１０）。
２　商標権者が使用商標の使用をしたかについて
（１）被請求人は、商標権者が使用商標を商品「メリヤス靴下」に付し（商標法第２条第３項第１号）、また、その商品をカナダへ輸出した（同法第２条第３項第２号）旨主張している。
（２）前記１で認定した事実によれば、奈良県を所在地とするアビラス社は、２０１８年（平成３０年）７月２３日に、カナダを所在地とする商標権者に対し、使用商標が付された使用商品についての代金を請求したのだから（前記１（１）及び（２））、アビラス社は、２０１８年（平成３０年）７月頃、使用商標が付された使用商品をカナダへ輸出したものと推認できる。
　そうすると、使用商品に使用商標を付したものを輸出する行為（商標法第２条第３項第２号）をした者は、商標権者ではなく、アビラス社というべきである。
　また、商標権者が使用商標を商品「メリヤス靴下」に付したという証拠は、何ら提出されていない。
　したがって、商標権者が使用商標を商品「メリヤス靴下」に付したということはできず、また、商標権者がその商品をカナダへ輸出したということもできない。
３　使用権者が使用商標の使用をしたかについて
（１）被請求人は、本件商標の使用権者であるＨＧ社が、２０１４年（平成２６年）６月から継続して、アビラス社及び昌和社に「ｆｕｔｚ」製品の生産を発注してカナダに輸出している旨主張している。
（２）前記１で認定した事実によれば、商標権者が、ＨＧ社に対し、２０１４年（平成２６年）１０月１日から１０年間、「靴下」の生産、販売又は頒布を行う権限を付与したことは認められるものの（前記１（３））、本件商標の使用を許諾したことは認められないから、ＨＧ社は、本件商標の使用権者とは認められない。
　また、奈良県を所在地とするアビラス社は、２０１４年（平成２６年）６月９日に、カナダを所在地とするＨＧ社に対し、女性用靴下についての代金を請求し（前記１（４））、また、奈良県を所在地とする昌和社は、２０１４年（平成２６年）６月３０日に、カナダを所在地とするＨＧ社に対し、男性用靴下についての代金を請求した（前記１（５））のだから、アビラス社及び昌和社は、２０１４年（平成２６年）５月又は６月頃、女性用靴下又は男性用靴下をカナダへ輸出したものと推認できる。
　しかしながら、カナダへ輸出した女性用靴下又は男性用靴下に使用商標が付されていたことを示す証拠は無く、また、該商品を輸出した２０１４年（平成２６年）５月又は６月頃は、要証期間外であり、さらに、該商品を輸出する行為をした者は、ＨＧ社ではなく、アビラス社及び昌和社というべきである。
　したがって、仮に、ＨＧ社が本件商標の使用権者であるとしても、ＨＧ社が本件商標の使用をしたと認めることはできない。
４　結論
　以上のとおり、被請求人の提出に係る証拠によっては、被請求人が、要証期間内に日本国内において商標権者、専用使用権者又は通常使用権者のいずれかが請求に係る指定商品のいずれかについての本件商標又はこれと社会通念上同一と認められる商標の使用をしていることを証明したとはいえず、また、当該使用をしていないことについて正当な理由があることを明らかにしたともいえない。
　したがって、本件商標の登録は、商標法第５０条の規定により、取り消すべきものである。
　よって、結論のとおり審決する。